(57)【特許請求の範囲】
【請求項１】
内部に収納された複数のローションティシュペーパーの各々が上面に形成された取出口から引き出されるポケットティシュー包装体において、
前記ポケットティシュー包装体の外層を形成する外層フィルムと、前記ポケットティシュー包装体の内層を形成する内層フィルムからなり、
前記外層フィルムは、前記内層フィルムよりも融点が高く、
前記外層フィルムの表面は、梨地処理が施され、
外層フィルムにおける内層フィルムと対向する面が印刷面となっており、
前記複数のローションティシュペーパーの積層体の下面を覆う下面部と、前記下面部に連なって前記積層体の上面の一側を覆う上面一側部と、前記下面部に連なって前記積層体の上面の前記一側に対向する他側を覆う上面他側部と、を有しており、
前記上面一側部の自由端部は、前記上面他側部の自由端部に重なった状態で、前記上面他側部の自由端部に剥離可能に熱融着されており、
前記上面一側部の自由端部を前記上面他側部の自由端部から剥離すると、前記上面一側部の自由端部と前記上面他側部の自由端部との間に前記取出口が形成されることを特徴とするポケットティシュー包装体。
【請求項２】
請求項１に記載のポケットティシュー包装体において、
前記熱融着された接着部は、破線状に断続的に配列されていることを特徴とするポケットティシュー包装体。
【請求項３】
請求項２に記載のポケットティシュー包装体において、
前記接着部同士の間隔は、１ｍｍであることを特徴とするポケットティシュー包装体。
【請求項４】
請求項２又は３に記載のポケットティシュー包装体において、
前記接着部の面積は、０．５ｍｍ２であることを特徴とするポケットティシュー包装体。
【請求項５】
請求項１〜４の何れか一項に記載のポケットティシュー包装体において、
当該ポケットティシュー包装体の素材は、ＬＬＤＰＥであり、
前記外層フィルム及び前記内層フィルムの厚みは、１５μｍ〜３０μｍであることを特徴とするポケットティシュー包装体。
【請求項６】
請求項１〜５の何れか一項に記載のポケットティシュー包装体において、
前記上面一側部の自由端部が前記上面他側部の自由端部に重なった重なり部の幅は、０．８ｃｍ〜２．０ｃｍであることを特徴とするポケットティシュー包装体。
【請求項７】
積層された複数のローションティシュペーパーと、
前記ローションティシュペーパーを収納する、請求項１〜６の何れか一項に記載のポケットティシュー包装体と、
を備えることを特徴とするポケットティシュー。
【発明の詳細な説明】
【技術分野】
【０００１】
本発明は、ポケットティシュー包装体及びポケットティシューに関する。
【背景技術】
【０００２】
従来、包装体に設けられたミシン目を開封して当該包装体の内部に収納されたティシュペーパーを引き出すことができる携帯可能なポケットティシューとして、ローションティシュペーパーが収納されたものが知られている（例えば、特許文献１参照）。
【先行技術文献】
【特許文献】
【０００３】
【特許文献１】特開２００７−２５４０１２号公報
【発明の概要】
【発明が解決しようとする課題】
【０００４】
しかしながら、ローションティシュペーパーは、ローションが含浸されていない通常のティシュペーパーと比較して柔らかいため、包装体に設けられたミシン目を開封する時に、ローションティシュペーパーにも力が加わって、ローションティシュペーパーが破れてしまうことがある。また、ミシン目を開封すると、取出口からローションティシュペーパーが露出し易くなって、ローションティシュペーパーにシワやヨレが生じたり、ローションティシュペーパーが乾燥したりしてしまうことがある。
【０００５】
本発明の課題は、開封時に発生し易い、内部に収納されたローションティシュペーパーの破れを抑制できるとともに、開封後に発生し易い、内部に収納されたローションティシュペーパーのシワやヨレ、乾燥を抑制できるポケットティシュー包装体及び当該ポケットティシュー包装体でローションティシュペーパーを収納してなるポケットティシューを提供することにある。
【課題を解決するための手段】
【０００６】
上記課題を解決するために、請求項１に記載の発明は、
内部に収納された複数のローションティシュペーパーの各々が上面に形成された取出口から引き出されるポケットティシュー包装体において、
前記ポケットティシュー包装体の外層を形成する外層フィルムと、前記ポケットティシュー包装体の内層を形成する内層フィルムからなり、
前記外層フィルムは、前記内層フィルムよりも融点が高く、
前記外層フィルムの表面は、梨地処理が施され、
外層フィルムにおける内層フィルムと対向する面が印刷面となっており、
前記複数のローションティシュペーパーの積層体の下面を覆う下面部と、前記下面部に連なって前記積層体の上面の一側を覆う上面一側部と、前記下面部に連なって前記積層体の上面の前記一側に対向する他側を覆う上面他側部と、を有しており、
前記上面一側部の自由端部は、前記上面他側部の自由端部に重なった状態で、前記上面他側部の自由端部に剥離可能に熱融着されており、
前記上面一側部の自由端部を前記上面他側部の自由端部から剥離すると、前記上面一側部の自由端部と前記上面他側部の自由端部との間に前記取出口が形成されることを特徴とする。
【０００７】
請求項２に記載の発明は、
請求項１に記載のポケットティシュー包装体において、
前記熱融着された接着部は、破線状に断続的に配列されていることを特徴とする。
【０００８】
請求項３に記載の発明は、
請求項２に記載のポケットティシュー包装体において、
前記接着部同士の間隔は、１ｍｍであることを特徴とする。
【０００９】
請求項４に記載の発明は、
請求項２又は３に記載のポケットティシュー包装体において、
前記接着部の面積は、０．５ｍｍ２であることを特徴とする。
【００１２】
請求項５に記載の発明は、
請求項１〜４の何れか一項に記載のポケットティシュー包装体において、
当該ポケットティシュー包装体の素材は、ＬＬＤＰＥ（linear low-density polyethylene）であり、
前記外層フィルム及び前記内層フィルムの厚みは、１５μｍ〜３０μｍであることを特徴とする。
【００１３】
請求項６に記載の発明は、
請求項１〜５の何れか一項に記載のポケットティシュー包装体において、
前記上面一側部の自由端部が前記上面他側部の自由端部に重なった重なり部の幅は、０．８ｃｍ〜２．０ｃｍであることを特徴とする。
【００１４】
請求項７に記載の発明は、
ポケットティシューにおいて、
積層された複数のローションティシュペーパーと、
前記ローションティシュペーパーを収納する、請求項１〜６の何れか一項に記載のポケットティシュー包装体と、
を備えることを特徴とする。
【発明の効果】
【００１５】
請求項１記載の発明によれば、上面一側部の自由端部は、上面他側部の自由端部に重なった状態で、上面他側部の自由端部に剥離可能に接着されており、上面一側部の自由端部を上面他側部の自由端部から剥離すると、上面一側部の自由端部と上面他側部の自由端部との間に取出口が形成されるようになっている。
したがって、内部に収納されたローションティシュペーパーに力を加えることなく開封することができるとともに、開封後は上面一側部の自由端部が上面他側部の自由端部を覆って蓋の役割を果たすため、開封時に発生し易い、内部に収納されたローションティシュペーパーの破れを抑制できるとともに、開封後に発生し易い、内部に収納されたローションティシュペーパーのシワやヨレ、乾燥を抑制できる。
【００１６】
請求項２記載の発明によれば、請求項１に記載の発明と同様の効果が得られることは無論のこと、上面一側部の自由端部は、上面他側部の自由端部に熱融着され、当該熱融着された接着部は、破線状に断続的に配列されている。
したがって、上面一側部の自由端部を、上面他側部の自由端部から簡単に剥離することができるとともに、剥離したい領域のみを剥離することができる。
【００１７】
請求項３記載の発明によれば、請求項２に記載の発明と同様の効果が得られることは無論のこと、接着部同士の間隔は、１ｍｍである。
したがって、適度な力で、ポケットティシュー包装体に破れが生じることなく、開封することができる。
【００１８】
請求項４記載の発明によれば、請求項２又は３に記載の発明と同様の効果が得られることは無論のこと、接着部の面積は、０．５ｍｍ２である。
したがって、適度な力で、ポケットティシュー包装体に破れが生じることなく、開封することができる。
【００１９】
請求項５記載の発明によれば、請求項２〜４の何れか一項に記載の発明と同様の効果が得られることは無論のこと、外層フィルムは、内層フィルムよりも融点が高い。
したがって、内層フィルムのみが融解する温度を与えて熱融着すると、上面一側部の自由端部の内層フィルムが融解して、上面他側部の自由端部に上面一側部の自由端部がラミネートされたようになるため、上面一側部の自由端部を、上面他側部の自由端部から簡単かつきれいに剥離することができる。
【００２０】
請求項６記載の発明によれば、請求項５に記載の発明と同様の効果が得られることは無論のこと、外層フィルムの表面は、梨地処理が施されている。
したがって、上面他側部の自由端部の外表面（外層フィルムの表面）にラミネートされた上面一側部の自由端部を、上面他側部の自由端部から簡単かつきれいに剥離することができる。
【００２１】
請求項７記載の発明によれば、請求項５又は６に記載の発明と同様の効果が得られることは無論のこと、ポケットティシュー包装体の素材は、ＬＬＤＰＥであり、外層フィルム及び内層フィルムの厚みは、１５μｍ〜３０μｍである。
したがって、ポケットティシュー包装体が破れ難く、接着が自然に剥がれてしまうおそれもなく、かつ柔らかいため、好適である。
【００２２】
請求項８記載の発明によれば、請求項１〜７の何れか一項に記載の発明と同様の効果が得られることは無論のこと、上面一側部の自由端部が上面他側部の自由端部に重なった重なり部の幅は、０．８ｃｍ〜２．０ｃｍである。
したがって、開封後、上面一側部の自由端部が蓋として十分に機能するとともに、蓋（上面一側部の自由端部）が邪魔になり過ぎることなく、内部に収納されたローションティシュペーパーを容易に引き出すことができる。
【００２３】
請求項９記載の発明によれば、ポケットティシューは、積層された複数のローションティシュペーパーと、ローションティシュペーパーを収納する、請求項１〜７の何れか一項に記載のポケットティシュー包装体と、を備えている。
したがって、請求項１〜７と同様の効果を得ることができる。
【図面の簡単な説明】
【００２４】
【図１】本実施形態のポケットティシューの一例を示す平面斜視図である。
【図２】図１のＩＩ−ＩＩ線における断面図である。
【図３】図１のポケットティシューを開封した状態の一例を示す平面斜視図である。
【発明を実施するための形態】
【００２５】
以下、図を参照して、本発明の実施の形態を詳細に説明する。ただし、発明の範囲は、図示例に限定されない。
なお、以下の説明では、ポケットティシュー１の厚み方向を上下方向とし、ポケットティシュー１の上面の一側を前側、他側を後側とし、上下方向及び前後方向の双方に直交する方向を左右方向とする。
【００２６】
本実施形態のポケットティシュー１は、例えば、図１に示すように、左右方向に長尺な略直方体形状に形成されており、図２に示すように、積層された複数のローションティシュペーパー２と、ローションティシュペーパー２を包装するポケットティシュー包装体３（以下「包装体３」と言う）と、を備えて構成される。
包装体３の上面には、例えば、図３に示すように、取出口１ａが形成されるようになっており、取出口１ａを通して内部に収納されたローションティシュペーパー２の各々を引き出すことができるようになっている。
【００２７】
ローションティシュペーパー２は、例えば、原紙に対して所定の割合で保湿系薬剤を主とする薬液を含浸させてなる保湿ティシュペーパーである。
ここで、保湿系薬剤としては、一般的に使用されているものであれば任意であるが、具体的には、例えば、グリセリン、ジグリセリン、プロピレングリコール、1,3-ブチレングリコール、ポリエチレングリコール等の多価アルコール、ソルビトール、グルコース、キシリトール、マルトース、マルチトール、マンニトール、トレハロース等の糖類、グルコール系薬剤及びその誘導体、セタノール、ステアリルアルコール、オレイルアルコール等の高級アルコール、流動パラフィンなどが挙げられる。これらは単独で、或いは２種以上を組み合わせて用いることができる。また、これにグリシン、アスパラギン酸、アルギニン、アラニン、シスチン、システィン等のアミノ酸、アロエエキス、アマチャエキス、アシタバエキス、カリンエキス、キュウリエキス、スギナエキス、トマトエキス、ノバラエキス、ヘチマエキス、ユリエキス、レンゲソウエキス等の植物抽出エキス、オリーブ油、ホホバ油、ローズヒップ油、アーモンド油、ユーカリ油、アボカド油、ツバキ油、大豆油、サフラワー油、ゴマ油、月見草油等の植物油、ビタミン、加水分解コラーゲン、加水分解ケラチン、加水分解シルク、キトサン、尿素、ハチミツ、ローヤルゼリー、ヒアルロン酸ナトリウム、セラミド、スクワラン、ワセリンなどを配合することができる。
また、原紙としては、通常ティッシュペーパーとして使用されるものであれば任意であるが、肌触りが良好であって、柔軟性を有するとともに、所要の強度及び吸収性を有するものが好ましい。
【００２８】
包装体３は、例えば、図２に示すように、当該包装体３の外層を形成する外層フィルム３１と、外層フィルム３１よりもローションティシュペーパー２側に配置され、当該包装体３の内層を形成する内層フィルム３２と、からなり、外層フィルム３１における内層フィルム３２と対向する面が印刷面３３となっている。
外層フィルム３１及び内層フィルム３２としては、例えば、ポリエチレンやポリプロピレンなどの熱可塑性樹脂からなるフィルムが挙げられるが、柔軟性等の観点からＬＬＤＰＥからなるフィルムが好ましい。すなわち、包装体３の素材としてはＬＬＤＰＥが好ましい。
ここで、外層フィルム３１は、内層フィルム３２よりも融点が高くなるよう設定されていることとする。
【００２９】
また、包装体３は、ローションティシュペーパー２，…の積層体の下面を覆う下面部３ａと、下面部３ａに連なってローションティシュペーパー２，…の積層体の上面の一側（前側）を覆う上面一側部３ｂと、下面部３ａに連なってローションティシュペーパー２，…の積層体の上面の当該一側に対向する他側（後側）を覆う上面他側部３ｃと、を有している。
上面一側部３ｂの自由端部は、ローションティシュペーパー２，…の積層体の上面における前後方向略中央で、上面他側部３ｃの自由端部に重なって、重なり部１ｂを形成しており、後述するように、上面一側部３ｂの自由端部を上面他側部３ｃの自由端部から剥離すると、上面一側部３ｂの自由端部と上面他側部３ｃの自由端部との間（重なり部１ｂ）に取出口１ａが形成されるようになっている。
【００３０】
包装体３は、上面一側部３ｂの自由端部が上面他側部３ｃの自由端部に重なった状態（重なり部１ｂが形成された状態）で、左右両端部が熱融着等で接着されて封止されている。すなわち、上面他側部３ｃの左端部及び右端部はそれぞれ下面部３ａの左端部及び右端部と接着されているとともに、上面一側部３ｂの自由端部を除く部分の左端部及び右端部はそれぞれ下面部３ａの左端部及び右端部と接着されている。なお、後述するように、上面一側部３ｂの自由端部の左端部及び右端部はそれぞれ上面他側部３ｃの自由端部の左端部及び右端部に剥離可能に接着されている。
【００３１】
また、包装体３は、重なり部１ｂが形成された状態で、上面一側部３ｂの自由端部が、上面他側部３ｃの自由端部に左端部から右端部にかけて剥離可能に接着されている。そして、上面一側部３ｂの自由端部を摘まんで、上面一側部３ｂの自由端部を上面他側部３ｃの自由端部から剥離すると、例えば、図３に示すように、上面一側部３ｂの自由端部と上面他側部３ｃの自由端部との間に取出口１ａが形成されるようになっている。
具体的には、上面一側部３ｂの自由端部は、上面他側部３ｃの自由端部に熱融着されている。なお、当該熱融着の際、外層フィルム３１は内層フィルム３２よりも融点が高くなるよう設定されているため、内層フィルム３２のみが融解する温度を与えることが好ましい。これにより、上面一側部３ｂの自由端部の内層フィルム３２が融解して、上面他側部３ｃの自由端部の外表面に、上面一側部３ｂの自由端部がラミネートされたようになるため、上面一側部３ｂの自由端部を、上面他側部３ｃの自由端部から簡単かつきれいに剥離することができる。
【００３２】
ここで、当該熱融着された接着部１ｃ，…は、例えば、図１に示すように、破線状（ドット状）に断続的に配列されていることとする。これにより、上面一側部３ｂの自由端部を、上面他側部３ｃの自由端部から簡単に剥離することができるとともに、剥離したい領域（例えば、開封に最適な領域（具体的には、例えば、内部に収納されたローションティシュペーパー２の引き出しに十分な領域））のみを剥離することができる。
なお、接着部１ｃ，１ｃ同士の間隔は、０．５ｍｍより大きく１．５ｍｍより小さいことが好ましく、１ｍｍであることがより好ましい。これは、接着部１ｃ，１ｃ同士の間隔が０．５ｍｍ以下だと、剥離し易くなって、例えばポケットやカバンに入れた際に他のものと擦れるだけで簡単に剥離してしまい、１．５ｍｍ以上だと、剥離し難くなって、例えば無理に剥離しようとすると包装体３に破れが生じてしまうからである。
また、各接着部１ｃの面積は、０．３ｍｍ２より大きく１．５ｍｍ２より小さいことが好ましく、０．５ｍｍ２であることがより好ましい。これは、接着部１ｃの面積が０．３ｍｍ２以下だと、接着が弱くなり、１．５ｍｍ２以上だと、剥離し難くなって、例えば無理に剥離しようとすると包装体３に破れが生じてしまうからである。
また、外層フィルム３１の表面は、梨地処理が施されていることとする。これにより、上面他側部３ｃの自由端部の外表面（外層フィルム３１の表面）にラミネートされた上面一側部３ｂの自由端部を、上面他側部３ｃの自由端部から簡単かつきれいに剥離することができる。
【００３３】
また、上面一側部３ｂの自由端部が上面他側部３ｃの自由端部に重なった重なり部１ｂの幅は、０．７ｃｍより長く２．５ｃｍより短いことが好ましく、０．８ｃｍ〜２．０ｃｍであることがより好ましい。これは、重なり部１ｂの幅が０．７ｃｍ以下だと、上面一側部３ｂの自由端部が蓋として機能し難くなり、２．５ｃｍ以上だと、上面一側部３ｂの自由端部が邪魔になって、内部に収納されたローションティシュペーパー２が引き出し難くなるからである。
また、外層フィルム３１及び内層フィルム３２の厚みはそれぞれ、１０μｍより厚く４０μｍより薄いことが好ましく、１５μｍ〜３０μｍであることがより好ましい。これは、１０μｍ以下だと、包装体３が破れ易くなり、４０μｍ以上だと、包装体３が厚すぎて接着（熱融着）が自然に剥がれてしまうおそれがあるからである。
【００３４】
以上説明した本実施形態におけるポケットティシュー１及び包装体３によれば、包装体３は、ローションティシュペーパー２，…の積層体の下面を覆う下面部３ａと、下面部３ａに連なってローションティシュペーパー２，…の積層体の上面の一側を覆う上面一側部３ｂと、下面部３ａに連なってローションティシュペーパー２，…の積層体の上面の一側に対向する他側を覆う上面他側部３ｃと、を有しており、上面一側部３ｂの自由端部は、上面他側部３ｃの自由端部に重なった状態で、上面他側部３ｃの自由端部に剥離可能に接着されており、上面一側部３ｂの自由端部を上面他側部３ｃの自由端部から剥離すると、上面一側部３ｂの自由端部と上面他側部３ｃの自由端部との間に取出口１ａが形成されるようになっている。
したがって、内部に収納されたローションティシュペーパー２に力を加えることなく開封することができるとともに、開封後は上面一側部３ｂの自由端部が上面他側部３ｃの自由端部を覆って蓋の役割を果たすため、開封時に発生し易い、内部に収納されたローションティシュペーパー２の破れを抑制できるとともに、開封後に発生し易い、内部に収納されたローションティシュペーパー２にシワやヨレ、乾燥を抑制できる。
【００３５】
また、以上説明した本実施形態におけるポケットティシュー１及び包装体３によれば、包装体３において、上面一側部３ｂの自由端部は、上面他側部３ｃの自由端部に熱融着され、当該熱融着された接着部１ｃ，…は、破線状（ドット状）に断続的に配列されている。
したがって、上面一側部３ｂの自由端部を、上面他側部３ｃの自由端部から簡単に剥離することができるとともに、剥離したい領域のみを剥離することができる。
【００３６】
また、以上説明した本実施形態におけるポケットティシュー１及び包装体３によれば、包装体３において、接着部１ｃ，１ｃ同士の間隔は、１ｍｍである。
したがって、適度な力で、包装体３に破れが生じることなく、開封することができる。
【００３７】
また、以上説明した本実施形態におけるポケットティシュー１及び包装体３によれば、包装体３において、各接着部１ｃの面積は、０．５ｍｍ２である。
したがって、適度な力で、包装体３に破れが生じることなく、開封することができる。
【００３８】
また、以上説明した本実施形態におけるポケットティシュー１及び包装体３によれば、包装体３において、当該包装体３の外層を形成する外層フィルム３１と、当該包装体３の内層を形成する内層フィルム３２と、からなり、外層フィルム３１は、内層フィルム３２よりも融点が高くなるよう設定されている。
したがって、内層フィルム３２のみが融解する温度を与えて熱融着すると、上面一側部３ｂの自由端部の内層フィルム３２が融解して、上面他側部３ｃの自由端部に上面一側部３ｂの自由端部がラミネートされたようになるため、上面一側部３ｂの自由端部を、上面他側部３ｃの自由端部から簡単かつきれいに剥離することができる。
【００３９】
また、以上説明した本実施形態におけるポケットティシュー１及び包装体３によれば、包装体３において、外層フィルム３１の表面は、梨地処理が施されている。
したがって、上面他側部３ｃの自由端部の外表面（外層フィルム３１の表面）にラミネートされた上面一側部３ｂの自由端部を、上面他側部３ｃの自由端部から簡単かつきれいに剥離することができる。
【００４０】
また、以上説明した本実施形態におけるポケットティシュー１及び包装体３によれば、包装体３において、当該包装体３の素材は、ＬＬＤＰＥであり、外層フィルム３１及び内層フィルム３２の厚みは、１５μｍ〜３０μｍである。
したがって、包装体３が破れ難く、接着（熱融着）が自然に剥がれてしまうおそれもなく、かつ柔らかいため、好適である。
【００４１】
また、以上説明した本実施形態におけるポケットティシュー１及び包装体３によれば、包装体３において、上面一側部３ｂの自由端部が上面他側部３ｃの自由端部に重なった重なり部１ｂの幅は、０．８ｃｍ〜２．０ｃｍである。
したがって、開封後、上面一側部３ｂの自由端部が蓋として十分に機能するとともに、蓋（上面一側部３ｂの自由端部）が邪魔になり過ぎることなく、内部に収納されたローションティシュペーパー２を容易に引き出すことができる。
【００４２】
なお、本発明は、上記した実施の形態のものに限るものではなく、その要旨を逸脱しない範囲で適宜変更可能である。
【００４３】
各接着部１ｃの形状は図１等に示すような円形状に限ることはなく任意である。
また、ポケットティシュー１は、左右方向に長尺な略直方体形状に形成されたものに限ることはなく、例えば、左右方向の長さ及び前後方向の長さが同一の略直方体形状に形成されたものであっても良い。
【符号の説明】
【００４４】
１  ポケットティシュー
１ａ  取出口
１ｂ  重なり部
１ｃ  接着部
２  ローションティシュペーパー
３  包装体（ポケットティシュー包装体）
３ａ  下面部
３ｂ  上面一側部
３ｃ  上面他側部
３１  外層フィルム
３２  内層フィルム
【図１】
0005528045.tif 000002
【図２】
0005528045.tif 000003
【図３】
0005528045.tif 000004